(57)【要約】【解決手段】  針組立体１は、バックカヌラ３を保持するハブ４に、バックカバー７を前進位置と後退位置とに移動可能に設け、当該バックカバー７の後端部に液体供給手段の被連結部を連結して両者を一体に連結する連結部４１を設けている。  上記バックカバー７が前進位置に位置した状態では、上記連結部４１に上記液体供給手段の被連結部が連結されるとともに、バックカヌラ３の穿刺部３ａが液体供給手段の蓋部を貫通し、  上記バックカバー７が後退位置に位置した状態では、上記バックカバー７の後端部が上記バックカヌラ３の穿刺部３ａよりも後方に突出して該穿刺部を覆うようになっている。【効果】  バックカヌラによる誤穿刺を防止することができる。【選択図】  図２
2015167837.tif 000002
【特許請求の範囲】
【請求項１】
後端に液体供給手段の蓋部に穿刺される穿刺部が形成されたバックカヌラと、当該バックカヌラを保持するハブとを備え、
上記バックカヌラの穿刺部を液体供給手段の蓋部に貫通させることにより、該液体供給手段からバックカヌラに液体を供給するようにした針組立体において、
前進位置と後退位置とに移動可能であるとともに、液体供給手段の被連結部に連結される連結部を有するバックカバーを備え、
上記バックカバーが前進位置に位置した状態では、上記連結部に上記液体供給手段の被連結部が連結されるとともに、バックカヌラの穿刺部が液体供給手段の蓋部を貫通し、
上記バックカバーが後退位置に位置した状態では、上記バックカバーの後端部が上記バックカヌラの穿刺部よりも後方に突出して該穿刺部を覆うことを特徴とする針組立体。
【請求項２】
上記バックカバーは筒状を有して上記ハブの外周を囲繞していることを特徴とする請求項１に記載の針組立体。
【請求項３】
上記バックカバーに、前後方向に向けて形成した前後方向溝と、当該前後方向溝の後端側より当該バックカバーの周方向に連続する周方向係止部とを形成し、さらに上記ハブの外面に、上記前後方向溝および上記周方向係止部に沿って移動する係合突起を形成し、
上記バックカバーが前進位置に位置した状態では、上記係合突起は周方向係止部に前方から当接して上記バックカバーの後退を阻止し、
上記バックカバーが周方向に回転されて上記係合突起が周方向係止部に沿って上記前後方向溝に移動することで、上記バックカバーが後退位置へと移動可能となることを特徴とする請求項２に記載の針組立体。
【請求項４】
上記前後方向溝の前方に、上記係合突起を収容する収容部を形成するとともに、当該収容部をバックカバーの内部から外部に貫通するように形成して、上記係合突起が収容部に形成された際に当該係合突起を外部より視認可能とすることを特徴とする請求項３に記載の針組立体。
【請求項５】
後端に液体供給手段の蓋部に穿刺される穿刺部が形成されたバックカヌラと、当該バックカヌラを保持するハブとを備え、
上記バックカヌラの穿刺部を液体供給手段の蓋部に貫通させることにより、該液体供給手段からバックカヌラに液体を供給するようにした針組立体において、
収縮位置と伸長位置とに変位可能であるとともに、液体供給手段の被連結部に連結される連結部を有するバックカバーを有し、
上記バックカバーが収縮位置に位置した状態では、上記連結部に上記液体供給手段の被連結部が連結されるとともに、バックカヌラの穿刺部が液体供給手段の蓋部を貫通し、
上記バックカバーが伸長位置に位置した状態では、上記バックカバーの後端部が上記バックカヌラの穿刺部よりも後方に突出して該穿刺部を覆うことを特徴とする針組立体。
【発明の詳細な説明】
【技術分野】
【０００１】
本発明は針組立体に関し、詳しくは液体供給手段に接続するためのバックカヌラおよび連結部を備えた針組立体に関する。
【背景技術】
【０００２】
従来、例えば歯科診療において麻酔薬を投与するため、当該麻酔薬を収容したシリンジやその他の液体供給手段の先端には、交換式の針組立体が装着されるようになっている。
そしてこのような針組立体は、上記液体供給手段と接続するために、後端に液体供給手段の蓋部に穿刺される穿刺部が形成されたバックカヌラと、当該バックカヌラを保持するハブとを備えている。
そして上記バックカヌラの穿刺部を液体供給手段の蓋部に貫通させることにより、該液体供給手段からバックカヌラに液体を供給するようになっている。
【発明の概要】
【発明が解決しようとする課題】
【０００３】
しかしながら、上記針組立体を液体供給手段から離脱させる際に蓋部より抜かれたバックカヌラが外部に露出し、使用者に誤穿刺されるおそれがあった。
このような問題に鑑み、本発明は誤穿刺を防止することが可能な針組立体を提供するものである。
【課題を解決するための手段】
【０００４】
すなわち請求項１の発明は、後端に液体供給手段の蓋部に穿刺される穿刺部が形成されたバックカヌラと、当該バックカヌラを保持するハブとを備え、
上記バックカヌラの穿刺部を液体供給手段の蓋部に貫通させることにより、該液体供給手段からバックカヌラに液体を供給するようにした針組立体において、
前進位置と後退位置とに移動可能であるとともに、液体供給手段の被連結部に連結される連結部を有するバックカバーを備え、
上記バックカバーが前進位置に位置した状態では、上記連結部に上記液体供給手段の被連結部が連結されるとともに、バックカヌラの穿刺部が液体供給手段の蓋部を貫通し、
上記バックカバーが後退位置に位置した状態では、上記バックカバーの後端部が上記バックカヌラの穿刺部よりも後方に突出して該穿刺部を覆うことを特徴としている。
【０００５】
また請求項５の発明にかかる針組立体は、後端に液体供給手段の蓋部に穿刺される穿刺部が形成されたバックカヌラと、当該バックカヌラを保持するハブとを備え、
上記バックカヌラの穿刺部を液体供給手段の蓋部に貫通させることにより、該液体供給手段からバックカヌラに液体を供給するようにした針組立体において、
収縮位置と伸長位置とに変位可能であるとともに、液体供給手段の被連結部に連結される連結部を有するバックカバーを有し、
上記バックカバーが収縮位置に位置した状態では、上記連結部に上記液体供給手段の被連結部が連結されるとともに、バックカヌラの穿刺部が液体供給手段の蓋部を貫通し、
上記バックカバーが伸長位置に位置した状態では、上記バックカバーの後端部が上記バックカヌラの穿刺部よりも後方に突出して該穿刺部を覆うことを特徴としている。
【発明の効果】
【０００６】
上記請求項１の発明によれば、液体供給手段より針組立体を離脱させる際には、最初に上記バックカバーを後退位置に位置させてから、上記連結部と被連結部との連結状態を解除することができる。
これにより、液体供給手段を離脱させた際にはすでにバックカヌラがバックカバーによって覆われているため、バックカヌラによる誤穿刺を防止することができる。
【０００７】
上記請求項５の発明によれば、液体供給手段より針組立体を離脱させる際には、最初に上記バックカバーを伸長位置に位置させてから、上記連結部と被連結部との連結状態を解除することができる。
これにより、液体供給手段を離脱させた際にはすでにバックカヌラがバックカバーによって覆われているため、バックカヌラによる誤穿刺を防止することができる。
【図面の簡単な説明】
【０００８】
【図１】本実施例にかかる針組立体の使用状態の外観図であって、（ａ）（ｂ）はそれぞれ異なる角度から見た図を示す。
【図２】針組立体の使用後状態の外観図。
【図３】図１のＩＩＩ―ＩＩＩ（ａ）部およびＩＩＩ―ＩＩＩ（ｂ）部における断面図。
【図４】図２のＩＶ―ＩＶ部における断面図。
【図５】図１のＶ―Ｖ部における断面図。
【図６】図２のＶＩ―ＶＩ部における断面図。
【図７】第２実施例にかかる針組立体の断面図であって、（ａ）は使用状態を、（ｂ）は使用後状態をそれぞれ示す。
【発明を実施するための形態】
【０００９】
以下図示実施例について説明すると、図１、２に示す針組立体１は歯科治療の際に麻酔薬を収容したシリンジ等の図示しない液体供給手段に装着されて使用されるものであり、図１は当該針組立体１の使用状態を、図２は使用後状態をそれぞれ示している。
ここで、図１の（ａ）（ｂ）はそれぞれ異なる角度から見た使用状態の針組立体１を示し、また図３〜図６は、図１、２における各部の断面図をそれぞれ示し、各図において、図示右方を前方または先端側、図示左方を後方または後端側と呼ぶこととする。
上記針組立体１は、前方に突出するフロントカヌラ２と、後方に突出するバックカヌラ３と、これらフロントカヌラ２およびバックカヌラ３を保持するハブ４と、当該ハブ４の前方に進退動可能に設けられたフロントカバー５（図２参照）と、上記ハブ４に設けられて上記フロントカバー５を覆うカバーガイド６と、上記ハブ４の後方に進退動可能に設けられたバックカバー７とを備えている。
さらに図１に示す針組立体１の使用状態においては、上記フロントカバー５が後退位置に位置するとともに、バックカバー７が前進位置に位置しており、上記フロントカヌラ２とバックカヌラ３が外部に露出した穿刺可能状態となっている。
一方、図２に示す針組立体１の使用後状態においては、上記フロントカバー５が前進位置に位置するとともに、バックカバー７が後退位置に位置しており上記フロントカヌラ２とバックカヌラ３がこれらの内部に収容されて誤穿刺が防止された状態となっている。
【００１０】
上記フロントカヌラ２およびバックカヌラ３は、それぞれステンレス等からなる針管によって構成され、フロントカヌラ２の先端およびバックカヌラ３の後端にはそれぞれ穿刺部２ａ、３ａが形成されている。
そして上記ハブ４は略円柱状の部材となっており、その内部には前後に貫通する貫通孔４ａが穿設され（図３参照）、当該貫通孔４ａに上記フロントカヌラ２とバックカヌラ３とが接着保持されている。また上記貫通孔４ａにおいてフロントカヌラ２の後端部とバックカヌラ３の先端部との間には若干の隙間が形成されている。
ここで、歯科用の針組立体１におけるフロントカヌラ２は、穿刺痛を低減するためにその直径は極力小径に設定され、かつ口腔内のいずれの位置にも穿刺できるよう、全長は極力長く設定されている。
このため、フロントカヌラ２の内部通路は小径となっており、流路抵抗が大きいことから、上記液体供給手段は高い供給圧力によって麻酔薬を送液しなければならない。
これに対し、上記バックカヌラ３は上記液体供給手段の先端部分に設けられた樹脂製の蓋部を貫通する目的で設けられていることから、その直径を小径とする必要はなく、流路抵抗を小さくすることができる。
【００１１】
以下、図３、図４を用いて、上記フロントカバー５およびカバーガイド６の構成およびその動作について説明する。図３はフロントカバー５が後退位置に位置した使用状態を、図４はフロントカバー５が前進位置に移動した使用後状態をそれぞれ示している。
上記ハブ４の先端には、上記フロントカヌラ２を保持する円柱状のフロント側内筒部１１と、当該フロント側内筒部１１を囲繞する円筒状のフロント側外筒部１２とが形成され、これらフロント側内筒部１１およびフロント側外筒部１２の後方には略円盤状のフランジ部１３が形成されている。
上記フロント側内筒部１１とフロント側外筒部１２との先端は略同じ位置に形成され、またフロント側内筒部１１とフロント側外筒部１２との間には所要の隙間が形成されている。
上記フロント側内筒部１１の先端部には上記フロントカバー５との間に弾装される付勢手段としてのばね１４の後端部が弾接し、また図３（ｂ）に示すように、フロント側内筒部１１の側面には、フロントカヌラ２を挟んで対向する位置に、キー溝１１ａが前後方向に向けて形成されている。
上記フロント側外筒部１２は上記フランジ部１３の直径よりも小径に形成され、また外周面には、フロントカヌラ２を挟んで対向する位置に、外方に向けてカバーガイド保持突起１２ａが突出している。
【００１２】
上記フロントカバー５は略円筒状に形成され、図２に示すように前進位置に位置すると、その先端がフロントカヌラ２の穿刺部２ａよりも前方に突出し、これを覆うようになっている。
フロントカバー５は、図１に示すように後退位置に位置する際も上記カバーガイド６より若干突出し、かつ先端部がテーパ状に形成されている。これにより針組立体１を口腔内で使用した際において患者を傷つけないようになっている。
またフロントカバー５の内面の先端部もテーパ状に形成されており、当該テーパ形状の後端部には上記ばね１４が後方から弾接している。これにより、フロントカバー５はばね１４によって常時前方に付勢されるようになっている。
そしてフロントカバー５の後端部には、外周側に突出するフロント側係合突起５ａと、後方に突出するキー５ｂとがそれぞれフロントカヌラ２を挟んで対向する位置に一対ずつ形成され、これらはフロントカヌラ２の軸方向を中心に所定角度だけ偏倚した位置に形成されている。
上記キー５ｂは上記ハブ４のキー溝１１ａに係合することでフロントカバー５の回転防止手段を構成しており、図３（ｂ）に示すように、フロントカバー５が後退位置に位置した際に、上記キー５ｂが上記ハブ４のキー溝１１ａに嵌合するようになっている。
【００１３】
上記カバーガイド６は略円筒状の部材となっており、その後端から順に、上記ハブ４のフロント側外筒部１２と嵌合する大径部２１と、上記フロントカバー５を収容する中径部２２と、先端に形成された小径部２３とが形成されている。
上記大径部２１は、上記フロント側外筒部１２に対して周方向に回転可能に嵌合しており、外周面には治療の際に使用者が保持するための複数の操作用突起２１ａが形成されている（図１、図２参照）。
また上記大径部２１には、上記ハブ４に形成されたカバーガイド保持突起１２ａと係合するカバーガイド保持溝２１ｂが、大径部２１の周方向にむけて形成されている。
上記カバーガイド保持突起１２ａがカバーガイド保持溝２１ｂに収容されると、カバーガイド６はハブ４に対して前後方向への移動が阻止され、一方カバーガイド６の周方向への回転は許容されるようになっている。
具体的には、図１に示す使用状態では、図１（ａ）に示すようにカバーガイド保持突起１２ａはカバーガイド保持溝２１ｂの図示下方側に位置しており、この状態からカバーガイド６を時計回りに回転させることが可能となっている。
また上記カバーガイド保持溝２１ｂには微小な突起２１ｃが形成されており、使用者がカバーガイド６を回転させる際には、この突起２１ｃを超えてカバーガイド保持突起１２ａを移動させるようになっている。
【００１４】
上記カバーガイド６の内面には、前後方向に向けて形成されたフロント側前後方向溝２４と、当該フロント側前後方向溝２４の後端部より周方向に連続して形成されたフロント側周方向係止部２５とが形成され、上記フロント側前後方向溝２４の前方にはフロントカバー５の後退を阻止するためのフロントカバー後退阻止部２６が設けられている。そしてこれらはそれぞれフロントカヌラ２を挟んでそれぞれ一対ずつ設けられている。
上記フロント側前後方向溝２４は、上記フロントカバー５のフロント側係合突起５ａが通過可能な深さに形成されており、外面には貫通しないように形成されている。
このようにフロント側前後方向溝２４を外面に貫通しないようにすることで、カバーガイド６を患者の口腔内に進入させた際に、貫通した溝によって形成された突起やエッジなどによって患者を傷つけないようにしている。
上記フロント側周方向係止部２５は、カバーガイド６の上記大径部２１と中径部２２との境界に形成された段差によって構成され、図３（ｂ）に示すように上記フロント側前後方向溝２４の後端部と連続するように形成されている。
また上記フロント側周方向係止部２５と上記ハブ４のフロント側外筒部１２との間には、上記フロント側係合突起５ａが位置可能な程度の隙間が形成されている。
【００１５】
上記小径部２３の内径は上記フロントカバー５のフロント側係合突起５ａが通過できないような径に設定され、図４に示すようにフロントカバー５が前進位置に位置した際には、上記フロント側係合突起５ａが小径部２３の後方の面に当接して、フロントカバー５のこれ以上の前進を阻止するようになっている。
また小径部２３の外面はテーパ状に形成され、またフロントカバー５は後退位置において上記テーパ形状の部分が小径部２３よりも若干前方に突出するようになっており、小径部２３およびフロントカバー５の先端部によって一体的なテーパ形状を形成して、患者への傷を防止するようになっている。
【００１６】
上記フロントカバー後退阻止部２６は、上記小径部２３とフロント側前後方向溝２４との間に位置し、略長方形に形成された貫通孔２６ａと、当該貫通孔２６ａの内部に突出する後退阻止突起２６ｂとから構成されている。
上記貫通孔２６ａにおける前方の面は、上記小径部２３の後端の面を構成しており、上述したように上記フロントカバー５のフロント側係合突起５ａが後方から当接して、当該フロントカバー５の前進を阻止するものとなっている。
上記後退阻止突起２６ｂは、上記貫通孔２６ａの後方の面より前方に向けて突出するように形成され、当該後退阻止突起２６ｂの先端部と上記貫通孔２６ａの前方の面との間には、図４に示すように上記フロント側係合突起５ａが収容されるようになっている。
また後退阻止突起２６はその後端側の基部を起点に弾性変形するようになっており、かつその内面には、後方から前方に向けて傾斜する傾斜面２６ｃが形成されている。
上記傾斜面２６ｃには上記フロント側係合突起５ａが当接するようになっており、フロント側係合突起５ａが通過する間、上記後退阻止突起２６が外方に移動するようになっている。
一方、後退阻止突起２６ｂの外面側は、カバーガイド６の外面と面一もしくはそれよりも内面側に位置しており、針組立体１を口腔内で操作した際における患者への傷を防止するようになっている。
【００１７】
以下、上記構成について、フロントカバー５を後退位置から前進位置に位置させる際の動作について説明する。
まず使用状態において、フロントカバー５が後退位置に位置する際、図３に示すようにフロントカバー５の後端部に形成したフロント側係合突起５ａは、上記カバーガイド６に形成したフロント側周方向係止部２５に後方から当接しており、上記ばね１４の付勢力にもかかわらずフロントカバー５の前進が阻止されている。
この状態から、上記カバーガイド６を図１の状態から時計回りに回転させると、フロント側係合突起５ａが上記フロント側周方向係止部２５に沿って相対的に移動するようになる。
ただし、実際には上記フロントカバー５のキー５ｂがハブ４のキー溝１１ａに係合しているため、フロントカバー５の回転は阻止されており、フロントカバー５のフロント側係合突起５ａは移動せずにフロント側周方向係止部２５が移動する。
【００１８】
次に、上記カバーガイド６の回転量は、上記カバーガイド６に形成したカバーガイド保持溝２１ｂの周方向の長さ、すなわち上記ハブ４に形成したカバーガイド保持突起１２ａの移動量によって規定されている。
そしてカバーガイド保持突起１２ａが図１の状態からカバーガイド保持溝２１ｂにおける他方の端部まで移動すると、カバーガイド６の上記フロント側前後方向溝２４がフロント側係合突起５ａと重合する位置まで移動する。
このようにしてフロント側前後方向溝２４がフロント側係合突起５ａの位置まで移動すると、当該フロント側係合突起５ａはフロント側前後方向溝２４に沿って前進可能となり、フロントカバー５は上記ばね１４の付勢力によって前進位置へと前進する。
【００１９】
上記ばね１４の付勢力によってフロントカバー５が前進すると、上記フロント側係合突起５ａが上記フロント側前後方向溝２４に沿って前進し、上記フロントカバー後退阻止部２６における後退阻止突起２６ｂの内面に形成された傾斜面２６ｃに後方から当接する。
すると、フロント側係合突起５ａによって後退阻止突起２６ｂが外方に押圧され、これにより後退阻止突起２６ｂの後端部側の基部が弾性変形して外方に移動し、上記フロント側係合突起５ａの通過を許容する。
またフロント側係合突起５ａは、後退阻止突起５ａを通過した上記貫通孔２６ａの前方の面に当接して図４に示す前進位置に位置し、これによりこれ以上のフロントカバー５の前進が阻止される。
一方、フロント側係合突起５ａが後退阻止突起２６ｂを通過すると、当該後退阻止突起２６ｂは弾性変形から復帰して再度内方に移動し、後退阻止突起２６ｂの先端部が上記通過したフロント側係合突起５ａの後方から当接可能な状態となることから、フロントカバー５の後退が阻止されることとなる。
【００２０】
次に、図４、図６を用いて上記バックカバー７の構成及びその動作について説明する。
上記ハブ４における上記フランジ部１３の後方には、上記バックカヌラ３を保持する断面略十字型に形成されたバックカヌラ保持部３１と、当該バックカヌラ保持部３１より後方に突出する円柱状のバック側内筒部３２と、当該バック側内筒部３２を囲繞する円筒状のバック側外筒部３３とが形成されている。
上記バックカヌラ保持部３１およびバック側内筒部３２の中央には上記貫通孔４ａが形成されており、また上記バック側内筒部３２およびバック側外筒部３３はその後端部が略同じ位置に形成され、これらの間には所要の隙間が形成されている。
そして上記バック側外筒部３３には、上記バックカヌラ３を挟んで対向する位置に一対のバック側係合突起３３ａが設けられており、上記外筒部よりも外部に突出するように形成されている。
当該バック側係合突起３３ａは上記バックカヌラ保持部３１の後端部より後方に突出する腕部のさらに後端部に設けられており、上記腕部が弾性変形することで、上記バック側係合突起３３ａは上記内筒部に向けて移動するようになっている。
【００２１】
上記バックカバー７は筒状の部材となっており、上記ハブ４のバックカヌラ保持部３１およびバック側外筒部３３に沿って前後方向に摺動するとともに、周方向に回転可能となっている。そして図２に示すように後退位置に位置した際には、その後端がバックカヌラ３の穿刺部３ａよりも後方に突出してこれを覆うようになっている。
バックカバー７の後端部には、図示しない液体供給手段に設けられた被連結部と連結される連結部４１が形成されており、内面に形成された雌ねじ部４１ａと、外面に形成されたロック部４１ｂとから構成されている。これに対し、図示しない液体供給手段の被連結部には、上記雌ねじ部４１ａに螺合する雄ねじ部と、上記ロック部４１ｂに係合するロック部が設けられている。
上記連結部４１に液体供給手段の被連結部を連結するためには、液体供給手段を時計回りに回転させる。これにより、上記雌ねじ部４１ａに雄ねじ部が螺合し、また上記ロック部４１ｂが係合するようになっている。
一方、針組立体１から液体供給手段を離脱させるため、連結部４１より液体供給手段の被連結部を離脱させるには、液体供給手段を反時計回りに回転させてバックカバー７の雌ねじ部４１ａより雄ねじ部を離脱させればよい。
なお、このような連結部４１は従来公知であり、本実施例の連結部４１をその他の形状を有する被連結部を有する液体供給手段に対応した連結部としてもよい。
【００２２】
そしてバックカバー７には、前後方向に向けて形成されたバック側前後方向溝４２と、当該バック側前後方向溝４２の後端部に連続して形成されたバック側周方向係止部４３と、バック側前後方向溝４２の前方に設けられたバックカバー前進阻止部４４とが設けられている。そしてこれらは上記バックカヌラ３を挟んだ位置にそれぞれ一対設けられている。
上記バック側前後方向溝４２には上記ハブ４に形成されたバック側係合突起３３ａが移動するようになっており、また上記カバーガイド６に形成したフロント側前後方向溝２４とは異なり、バックカバー７の内面から外面に貫通していてもよい。
上記バック側周方向係止部４３は、図１（ｂ）に示すように上記バック側前後方向溝４２の後端部より周方向に連続して形成され、バック側係合突起３３ａの幅に合わせて溝状に形成されている。
また図１（ｂ）においてバック側周方向係止部４３はバック側前後方向溝４２の後端部より図示上方に向けて形成され、バックカバー７を反時計回りに回転させると、バック側係合突起３３ａが上記バック側周方向係止部４３に沿って相対的に移動するようになっている。
さらに上記バック側周方向係止部４３には、バック側係合突起３３ａに隣接した位置に突起４３ａが形成されており、意図せずにバックカバー７が回転するのを阻止するようになっている。
【００２３】
上記バックカバー前進阻止部４４は、上記バック側前後方向溝４２に対して前方に所定距離だけ離隔した位置に形成されたバックカバー７を貫通する貫通孔４４ａと、当該貫通孔と上記バック側前後方向溝４２との間に形成された前進阻止部４４ｂとから構成されている。
上記貫通孔４４ａは上記バック側係合突起３３ａがほぼ隙間なく嵌合するような形状に形成され、その前方の面にバック側係合突起３３ａが後方から当接することで、バックカバー７のこれ以上の後退を阻止するようになっている。
また上記貫通孔４４ａによれば、上記バック側係合突起３３ａが収容されることにより、当該バック側係合突起３３ａが外部より視認できるようになっている（図２参照）。
上記前進阻止部４４ｂは上記貫通孔４４ａの後方の面を構成し、バック側係合突起３３ａが前方から当接することにより、バックカバー７の前進を阻止するようになっている。
さらに、前進阻止部４４ｂの内周面には、後方から前方に向けて内面側に突出する傾斜面４４ｃが形成され、この傾斜面４４ｃには上記バックカバー７が後退する際に上記ハブ４のバック側係合突起３３ａが当接するようになっている。
【００２４】
以下、上記構成について、バックカバー７を前進位置から後退位置に位置させる際の動作について説明する。
図１に示す使用状態において、バックカバー７が前進位置に位置した状態では、図５に示すように上記バック側係合突起３３ａは上記バック側周方向係止部４３に収容され、バックカバー７の後退が阻止されている。
このようにバック側係合突起３３ａがバック側周方向係止部４３に収容された状態から、上記バックカバー７を図１の状態から反時計回りに回転させると、バック側係合突起３３ａが上記バック側周方向係止部４３に沿ってバック側前後方向溝４２の後端部まで相対的に移動する。
【００２５】
その状態から使用者がバックカバー７を後退させると、バック側係合突起３３ａはバック側前後方向溝４２に対して相対的に前進し、当該バック側係合突起３３ａは上記バックカバー前進阻止部４４の傾斜面４４ｃに後方から当接する。
すると、バック側係合突起３３ａがその先端側の基部より弾性変形して上記バック側内筒部３２に向けて内方に移動し、上記傾斜面４４ｃを通過する。傾斜面４４ｃを通過すると、バック側係合突起３３ａが外方に再度移動し、上記貫通孔４４ａに収容される。
上記貫通孔４４ａにバック側係合突起３３ａが収容されると、当該貫通孔４４ａの前方の面によってバックカバー７のこれ以上の後退が阻止され、バックカバー７が後退位置に位置し、また上記前進阻止部４４ｂによってバックカバー７の再度の前進が阻止される。
【００２６】
以下、上記構成を有する針組立体１の使用方法について説明する。
最初に、上記針組立体１は図示しないケーシングの内部に収容された状態で搬送され、当該ケーシングは上記カバーガイド６およびフロントカヌラ２を覆うフロント側ケーシングと、上記バックカバー７およびバックカヌラ３を覆うバック側ケーシングとから構成されている。
使用者は上記ケーシングのうちバック側ケーシングを取り外し、上記バックカバー７およびバックカヌラ３を露出させる。この際、針組立体１は図１に示す使用状態となっており、バックカバー７は前進位置に保持されている。
この状態で、使用者は上記バックカバー７に形成された連結部４１に液体供給手段の被連結部を連結する。これにより、バックカヌラ３が液体供給手段の蓋部を貫通して、液体供給手段からバックカヌラ３に麻酔薬が供給可能な状態となる。
【００２７】
続いて、使用者は上記ケーシングのうちフロント側ケーシングを取り除いて、カバーガイド６およびフロントカヌラ２を露出させる。このときフロントカバー５は後退位置に保持されている。
使用者は上記ハブ４のフランジ部１３やカバーガイド６の操作用突起２１ａを把持して、上記フロントカヌラ２を患者の口腔内に穿刺し、上記液体供給手段を操作して麻酔薬の投与を行う。
その際、患者の口腔内に進入する部分、すなわちカバーガイド６の外周面には突起が極力形成されていないため、これらの突起によって患者が傷ついてしまうのを防止することができる。
また、上記フロント側係合突起６ａは外部に露出していないことから、針組立体１を把持する使用者が誤ってフロント側係合突起６ａに触れ、フロントカバー５を誤作動させることがないようになっている。
【００２８】
使用者が患者に対して麻酔薬の投与を終了したら、使用者は上記カバーガイド６をハブ４に対して時計方向に回転させ、これによりフロントカバー６が後退位置より前進位置に移動し、使用状態から使用後状態となる。
カバーガイド６を回転させる際、上記カバーガイド保持突起１２ａによってカバーガイド保持溝２１ｂに形成した突起２１ｃを乗り越えさせなければならず、それまでの間に意図せずカバーガイド６が回転してフロントカバー５が誤作動してしまうのが防止されている。
これにより、フロントカバー６の先端がフロントカヌラ２の穿刺部２ａよりも前方に突出することとなり、フロントカヌラ２による誤穿刺が防止されることとなる。
またフロントカバー５が前進位置に位置すると、上記フロント側係合突起５ａがフロント側前後方向溝２４の前方に設けられたフロント側収容部２６に収容され、フロントカバー５は上記前進位置に位置するとともに、再度の後退が阻止されることとなる。
【００２９】
このようにしてフロントカバー５が前進位置に位置したら、続いて使用者は液体供給手段が接続されたままの状態で、バックカバー７を前進位置から後退位置へと後退させ、使用状態から使用後状態とする。
具体的には、使用者は図１の状態からバックカバー７を反時計回りに回転させ、バック側係合突起３３ａがバック側前後方向溝４２の後端部に位置したら、バックカバー７を後方に移動させる。
バックカバー７を回転させる際、使用者は上記バック側係合突起３３ａによってバック側周方向係止部４３に形成した突起２１ｃを乗り越えさせなければならず、それまでの間に意図せずバックカバー７が回転して後退してしまうことが防止されている。
またバックカバー７が後退位置に位置すると、上記バック側係合突起３３ａが貫通孔４４ａに収容されることとなり、使用者は当該バック側係合突起３３ａを外部より視認することでバックカバー７が確実に後退位置に位置していることを確認することができる。
【００３０】
このようにしてバックカバー７が後退位置に位置したら、使用者はバックカバー７の連結部４１に連結されている液体供給手段を反時計回りに回転させ、これにより連結部４１のロック部４１ｂおよび雌ねじ部４１ａから、被連結部のロック部および雄ねじ部を離脱させることができる。
このようにして液体供給手段が離脱すると、すでにバックカバー７は後退位置に位置して図２に示す使用後状態となっていることから、上記バックカヌラ３は上記バックカバー７に収容されており、その後のバックカヌラ３による誤穿刺を防止することが可能となっている。
その後、本実施例の針組立体１は廃棄されるが、上述したようにフロントカバー５は前進位置が維持され、またバックカバー７も後退位置が維持されているため、廃棄された針組立体１からフロントカヌラ２やバックカヌラ３が露出するという事故も防止できる。
【００３１】
図７は第２実施例にかかる針組立体１を示し、特にバックカバー７の（ａ）使用状態と（ｂ）使用後状態をそれぞれ示している。なお本実施例において上記第１実施例と共通する構成については説明を省略するものとする。
まず、本実施例のハブ４には第１実施例と同様、上記バックカヌラ保持部３１、バック側内筒部３２、バック側外筒部３３が形成され、バック側外筒部３３には１つのバック側係合突起３３ａが形成されている。
そして本実施例のバックカバー７は、連結部４１を有する筒状部５１と、当該筒状部５１の前方に設けられて収縮位置と伸長位置とに変位可能な筒状の伸縮部５２とから構成されている。
上記筒状部５１は、その先端部分が使用状態において上記ハブ４の外筒部を囲繞するように設けられており、使用状態においてハブ４と筒状部５１とのぐらつきが防止されるようになっている。
【００３２】
また上記筒状部５１には、使用状態において上記ハブ４のバック側係合突起３３ａと重合する位置に貫通孔５１ａが形成されており、当該貫通孔５１ａにおける前方の端面には上記バック側係合突起３３ａが当接するようになっている。
そして上記筒状部５１には上記貫通孔５１ａの内部に突出するように操作スイッチ５１ｂが設けられており、当該操作スイッチ５１ｂを外方から内方に向けて押圧すると、当該操作スイッチ５１ｂによって上記バック側係合突起が内方に向けて移動し、上記貫通孔５１ａの端面との係合状態が解除されるようになっている。
上記伸縮部５２は樹脂製で蛇腹状を有しており、その先端が上記ハブ４のフランジ部１３の後端部に接着等の方法で固定され、後端は上記筒状部５１の先端に固定されている。
上記伸縮部５２は、樹脂もしくは金属製のばね部５２ａと一体的に形成されており、このため使用状態における収縮位置では、上記筒状部５１を後方に向けて付勢するようになっている。
またこのばね部５２ａを有することにより、伸縮部５２が伸長位置に位置した場合に、伸縮部５２の伸長位置を維持するとともにその形状を維持し、上記バックカヌラ３が上記筒状部５１より再度露出してしまうのを防止するようになっている。
【００３３】
上記構成を有する針組立体の使用方法を説明すると、（ａ）に示す使用状態では、上記伸縮部５２が収縮位置に位置しており、第１実施例における使用状態と同様、上記連結部４１に上記液体供給手段の被連結部を連結して、バックカヌラ３の穿刺部３ａが液体供給手段の蓋部を貫通するようになっている。
そして液体供給手段を針組立体１から離脱させる際には（ｂ）に示す使用後状態とする。具体的には、使用者は上記操作スイッチ５１ｂを操作して、上記ハブ４に形成されたバック側係合突起３３ａが筒状部５１に形成された貫通孔５１ａより離脱させる。
すると、上記伸縮部５２のばね部５２ａの付勢力および操作者の操作によって、筒状部５１を後退させることができ、伸縮部５２を伸長位置まで変位させ、これにより上記バックカバー７の後端部を上記バックカヌラ３の穿刺部３ａよりも後方に突出させる。
その結果、第１実施例の針組立体１と同様、上記穿刺部３ａがバックカバー７によって覆われて使用者への誤穿刺が防止され、この状態で上記筒状部５１に設けた連結部４１より液体供給手段を離脱させる。
【符号の説明】
【００３４】
１  針組立体                    ２  フロントカヌラ
３  リヤカヌラ                  ４  ハブ
５  フロントカバー              ５ａ  フロント側係合突起
６  カバーガイド                ７  バックカバー
２４  フロント側前後方向溝      ２５  フロント側周方向係止部
３３ａ  バック側係合突起        ４１  連結部
４２  バック側前後方向溝        ４３  バック側周方向係止部
【図１】
2015167837.tif 000003
【図２】
2015167837.tif 000004
【図３】
2015167837.tif 000005
【図４】
2015167837.tif 000006
【図５】
2015167837.tif 000007
【図６】
2015167837.tif 000008
【図７】
2015167837.tif 000009